(57)【要約】      （修正有）【課題】プレゼンテーション中に，次のスライドを選択させるためのキーワードを効果的に表示するプレゼンテーションシステムを提供する。【解決手段】表示装置は、音声認識手段５３、会話由来用語抽出手段５５、検索用キーワード記憶手段５７、検索用キーワード抽出手段５９、資料記憶部６１、及び検索用キーワード抽出手段５９が抽出した検索用キーワードを検索用語として用いて、資料記憶部６１から検索用キーワードと関連するプレゼンテーション資料の頁を抽出する、該当頁情報抽出手段６３を有する。【選択図】図１
2020102231.tif 000002
【特許請求の範囲】
【請求項１】
音声認識を行う音声認識手段（５３）と，
前記音声認識手段（５３）が認識した会話情報から会話由来用語を複数抽出する会話由来用語抽出手段（５５）と，
会話由来用語と検索用キーワードとを関連付けて記憶する検索用キーワード記憶手段（５７）と，
前記会話由来用語抽出手段（５５）が抽出した複数の会話由来用語を用いて，前記検索用キーワード記憶手段（５７）から複数の検索用キーワードを抽出する検索用キーワード抽出手段（５９）と，
複数のプレゼンテーション資料の各頁と，それぞれの頁の検索用語を関連付けて記憶する資料記憶部（６１）と，
前記検索用キーワード抽出手段（５９）が抽出した検索用キーワードを前記検索用語として用いて，前記資料記憶部（６１）から前記検索用キーワードと関連するプレゼンテーション資料の頁を抽出する，該当頁情報抽出手段（６３）と，
を有する，装置。
【請求項２】
請求項１に記載の装置であって，
前記該当頁情報抽出手段（６３）が抽出したプレゼンテーション資料の頁が存在する場合に，前記検索用キーワードを，スライドを選択させるための選択用語として抽出する選択用語抽出手段（６５）と， 
前記選択用語抽出手段（６５）が抽出した選択用語を表示部（６９）に表示させるための選択用語表示手段（７１）と，
をさらに有し，これにより前記表示部（６９）に前記選択用語を表示できる装置。
【請求項３】
コンピュータを，
音声認識を行う音声認識手段（５３）と，
前記音声認識手段（５３）が認識した会話情報から会話由来用語を複数抽出する会話由来用語抽出手段（５５）と，
会話由来用語と検索用キーワードとを関連付けて記憶する検索用キーワード記憶手段（５７）と，
前記会話由来用語抽出手段（５５）が抽出した複数の会話由来用語を用いて，前記検索用キーワード記憶手段（５７）から複数の検索用キーワードを抽出する検索用キーワード抽出手段（５９）と，
複数のプレゼンテーション資料の各頁と，それぞれの頁の検索用語を関連付けて記憶する資料記憶部（６１）と，
前記検索用キーワード抽出手段（５９）が抽出した検索用キーワードを前記検索用語として用いて，前記資料記憶部（６１）から前記検索用キーワードと関連するプレゼンテーション資料の頁を抽出する，該当頁情報抽出手段（６３）と，
前記該当頁情報抽出手段（６３）が抽出したプレゼンテーション資料の頁が存在する場合に，前記検索用キーワードを，スライドを選択させるための選択用語として抽出する選択用語抽出手段（６５）と， 
を有する装置として機能させるためのプログラム。
【請求項４】
請求項３に記載のプログラムを記録したコンピュータ読み取り可能な記録媒体。
【発明の詳細な説明】
【技術分野】
【０００１】
本発明は，会話中に，会話に対応した適切なプレゼンテーションの頁を提案できる会話支援用の表示装置に関する。
【背景技術】
【０００２】
例えば，特許第４５５１１０５号公報には，音声認識を用いた会議支援システムが開示されている。音声認識は，文章として音声を認識するので，適切なスライドを読み出せない。また，音声認識により認識された用語のみを用いてスライドを読み出そうとしても，用語が必ずしもスライドに関連付けられた検索用語とは一致しないので，適切にスライドを読み出せない。
【先行技術文献】
【特許文献】
【０００３】
【特許文献１】特許第４５５１１０５号公報
【発明の概要】
【発明が解決しようとする課題】
【０００４】
本発明は，プレゼンテーション中に，次のスライドを選択させるためのキーワードを効果的に表示するプレゼンテーションシステムを提供することを目的とする。
【課題を解決するための手段】
【０００５】
本発明は，基本的には，会話に含まれる用語のみならず，その用語と関連する用語を用いて，会話と関連するプレゼンテーション資料の頁の候補を抽出するようにしたので，会話に関連するプレゼンテーション資料の頁の候補を適切に提案できるという知見に基づく。
【０００６】
本発明は，コンピュータや携帯端末を含む表示装置に関する。この表示装置は，会話に関連するプレゼンテーション資料の頁を読み出すための情報を表示できるものである。
この表示装置は，音声認識手段５３，会話由来用語抽出手段５５，検索用キーワード記憶手段５７，検索用キーワード抽出手段５９，資料記憶部６１，該当頁情報抽出手段６３，選択用語抽出手段６５，及び選択用語表示手段７１を有する。
【０００７】
音声認識手段５３は，音声認識を行うための要素である。
会話由来用語抽出手段５５は，音声認識手段５３が認識した会話情報から会話由来用語を複数抽出するための要素である。
検索用キーワード記憶手段５７は，会話由来用語と検索用キーワードとを関連付けて記憶するための要素である。
検索用キーワード抽出手段５９は，会話由来用語抽出手段５５が抽出した複数の会話由来用語を用いて，検索用キーワード記憶手段５７から複数の検索用キーワードを抽出するための要素である。
資料記憶部６１は，複数のプレゼンテーション資料の各頁と，それぞれの頁の検索用語，及びそれぞれの検索用語のスコアを関連付けて記憶するための要素である。
該当頁情報抽出手段６３は，検索用キーワード抽出手段５９が抽出した検索用キーワードを検索用語として用いて，資料記憶部５９から検索用キーワードと関連するプレゼンテーション資料の頁を抽出するための要素である。
選択用語抽出手段６５は，該当頁情報抽出手段６３が抽出したプレゼンテーション資料の頁が存在する場合に，検索用キーワードを，スライドを選択させるための選択用語として抽出するための要素である。
選択用語表示手段７１は，選択用語抽出手段６５が抽出した選択用語を表示部６９に表示させるための要素である。
上記の表示装置は，上記の各手段を有するので，表示部６９に選択用語を表示できる。
【０００８】
表示装置は，
該当頁情報抽出手段６３が，検索用キーワード抽出手段５９が抽出した検索用キーワードを検索用語として用いて，検索用語のうちスコアが高いものを，資料記憶部５９から検索用キーワードと関連するプレゼンテーション資料の頁として１又は複数抽出するものであってもよい。
【０００９】
表示装置は，
表示部６９が，端末の表示画面であり，
選択用語表示手段７１は，択用語抽出手段６５が抽出した選択用語を，表示画面の下部に存在する選択用語表示領域７３に表示させるものであり，
表示装置は，表示された選択用語が選択された情報を受け取る選択用語入力手段７５と，
選択用語入力手段７５により入力された選択用語を用いて，選択用語と関連する複数のプレゼンテーション資料の頁の候補を読み出す頁候補読み出し手段７７をさらに有するものであってもよい。
【００１０】
そして，この表示装置は，
頁候補読み出し手段７７が読み出した複数のプレゼンテーション資料の頁の候補のうち特定のプレゼンテーション資料の頁が選択された情報を受け取る，頁選択情報入力手段７９をさらに有してもよい。
この場合，表示装置は，頁選択情報入力手段７９により選択されたプレゼンテーション資料の頁に関する情報を用いて，選択されたプレゼンテーション資料の頁を表示部６９に表示することができる。
【００１１】
表示装置は，
資料のある頁に含まれる用語である資料中用語を抽出する用語抽出手段３と，
資料中用語と関連するキーワードとなる用語を記憶するキーワード記憶手段５と，
用語抽出手段３が抽出した資料中用語を用いて，キーワード記憶手段５から，資料中用語と関連するキーワードとなるものを複数抽出するキーワード抽出手段７と，
キーワードと関連するトピックス語を記憶するトピックス語記憶手段９と，
キーワード抽出手段７が抽出した複数のキーワードを用いて，トピックス語記憶手段９から，キーワードと関連するトピックス語を抽出するトピックス語抽出手段１１と，
トピックス語抽出手段１１が抽出したトピックス語及びキーワード抽出手段７が抽出した複数のキーワードから，資料のある頁の検索用語の候補を抽出する，検索用語候補抽出手段１３と，
検索用語候補抽出手段１３が抽出した検索用語の候補を，表示部１５に表示させる検索用語候補表示手段１７と，
表示部１５に表示された検索用語の候補のうち検索用語である旨の入力を受け取る，検索用語入力手段１９と，
検索用語入力手段１９により入力された検索用語と，資料のある頁に関する情報とを関連付けて記憶する資料検索情報記憶手段２１と，
を有する，検索用資料情報記憶装置２３をさらに有するものであることが好ましい。
【００１２】
本発明は，コンピュータを，
音声認識を行う音声認識手段５３と，
音声認識手段５３が認識した会話情報から会話由来用語を複数抽出する会話由来用語抽出手段５５と，
会話由来用語と検索用キーワードとを関連付けて記憶する検索用キーワード記憶手段５７と，
会話由来用語抽出手段５５が抽出した複数の会話由来用語を用いて，検索用キーワード記憶手段５７から複数の検索用キーワードを抽出する検索用キーワード抽出手段５９と，
複数のプレゼンテーション資料の各頁と，それぞれの頁の検索用語，及びそれぞれの検索用語のスコアを関連付けて記憶する資料記憶部６１と，
検索用キーワード抽出手段５９が抽出した検索用キーワードを検索用語として用いて，資料記憶部５９から検索用キーワードと関連するプレゼンテーション資料の頁を抽出する，該当頁情報抽出手段６３と，
該当頁情報抽出手段６３が抽出したプレゼンテーション資料の頁が存在する場合に，検索用キーワードを，スライドを選択させるための選択用語として抽出する選択用語抽出手段６５と，
選択用語抽出手段６５が抽出した選択用語を表示部６９に表示させるための選択用語表示手段７１と，
を有し，これにより表示部６９に選択用語を表示できる，表示装置として機能させるためのプログラムや，そのプログラムを記録したコンピュータ読み取り可能な記録媒体をも提供する。
【発明の効果】
【００１３】
本発明は，プレゼンテーション中に，次のスライドを選択させるためのキーワードを効果的に表示するプレゼンテーションシステムを提供できる。
【図面の簡単な説明】
【００１４】
【図１】図１は，本発明の表示装置を説明するためのブロック図である。
【図２】図２は，コンピュータの基本構成を示すブロック図である。
【図３】図３は，本発明のシステム例を示す概念図である。
【図４】図４は，プレゼンテーション資料のある頁の例である。
【図５】図５は，キーワード記憶手段の記憶例を示す概念図である。
【図６】図６は，トピックス語記憶手段の記憶例を示す概念図である。
【図７】図７は，カテゴリー語記憶手段の記憶例を示す概念図である。
【図８】図８は，抽出された（カテゴリー語），トピックス語，キーワード，及び資料中用語を示す概念図である。
【図９】図９は，表示画面の例である。
【図１０】図１０は，本発明の検索用資料情報記憶装置の使用例を説明するためのフローチャートである。
【図１１】図１１は，本発明の検索用資料情報記憶装置の使用例を説明するための概念図である。
【図１２】図１２は，本発明の検索用資料情報記憶装置を説明するためのブロック図である。
【図１３】図１３は，選択用語を表示する工程や，選択用語に関連するプレゼンテーション資料の頁を表示する工程例を説明するためのフローチャートである。
【図１４】図１４は，選択用語が表示される前の表示部の表示例を示す概念図である。
【図１５】図１５は，選択用語が表示された場合の表示部の表示例を示す概念図である。
【図１６】図１６は，頁候補が表示部に表示された様子を示す概念図である。
【発明を実施するための形態】
【００１５】
以下，図面を用いて本発明を実施するための形態について説明する。本発明は，以下に説明する形態に限定されるものではなく，以下の形態から当業者が自明な範囲で適宜修正したものも含む。
【００１６】
本発明は，コンピュータや携帯端末を含む表示装置に関する。この表示装置は，会話に関連するプレゼンテーション資料の頁を読み出すための情報を表示できるものである。
【００１７】
図１は，本発明の表示装置を説明するためのブロック図である。この装置は，コンピュータによる処理装置である。コンピュータは，携帯端末，デスクトップ型パーソナルコンピュータ，及びサーバのいずれか又は２つ以上の組み合わせであってもよい。これらは通常インターネット（イントラネット）等により情報の授受を行うことができるように接続されている。一部の機能をいずれかのコンピュータにもたせるなど，複数のコンピュータを用いて，機能を分担してもよい。
【００１８】
図２は，コンピュータの基本構成を示すブロック図である。この図に示されるように，コンピュータは，入力部３１，出力部３３，制御部３５，演算部３７及び記憶部３９を有しており，各要素は，バス４１などによって接続され，情報の授受を行うことができるようにされている。例えば，記憶部には，制御プログラムが記憶されていてもよいし，各種情報が記憶されていてもよい。入力部から所定の情報が入力された場合，制御部は，記憶部に記憶される制御プログラムを読み出す。そして，制御部は，適宜記憶部に記憶された情報を読み出し，演算部へ伝える。また，制御部は，適宜入力された情報を演算部へ伝える。演算部は，受け取った各種情報を用いて演算処理を行い，記憶部に記憶する。制御部は，記憶部に記憶された演算結果を読み出して，出力部から出力する。このようにして，各種処理が実行される。この各種処理を実行するものが，各手段である。
【００１９】
図３は，本発明のシステム例を示す概念図である。図３に示されるように，本発明のシステム（本発明の装置を含むシステム）は，インターネット又はイントラネット４３と接続された携帯端末４５と，インターネット又はイントラネット４３に接続されたサーバ４７とを含むものであってもよい。もちろん，単体のコンピュータや携帯端末が，本発明の装置として機能してもよいし，複数のサーバが存在してもよい。
【００２０】
携帯端末４５のモニタやディスプレイが，表示部６９として機能してもよい。
【００２１】
図１に示されるように，この表示装置（本発明の装置）は，音声認識手段５３，会話由来用語抽出手段５５，検索用キーワード記憶手段５７，検索用キーワード抽出手段５９，資料記憶部６１，該当頁情報抽出手段６３，選択用語抽出手段６５，及び選択用語表示手段７１を有する。
【００２２】
音声認識手段５３は，音声認識を行うための要素である。音声認識は公知である。音声認識を行うためには，通常音声を集めるマイクと，マイクから入力された音声を分析する音声分析部とを有する。音声認識自体は，特許第４５５１１０５号公報（特許文献１）の他，特許６１２７４２２号公報，特許６１１４２１０号公報，及び特許６１０７００３号公報に記載される通り，公知である。音声認識手段５３により，会話に含まれる音声を入力として，装置に入力し，会話に含まれる用語をデータとして記憶できる。音声認識手段５３は，会話に含まれる用語を適宜記憶部に記憶する。なお，この際，音声認識手段５３は，用語を記憶するとともに，音量又は音量の変化に関する情報を用語と合わせて記憶してもよい。
【００２３】
会話由来用語抽出手段５５は，音声認識手段５３が認識した会話情報から会話由来用語を複数抽出するための要素である。上記のとおり，記憶部には，会話に含まれた用語が適宜記憶されている。また，記憶部には，検索に用いることができる用語を記憶している。この用語は，例えば名詞であってもよい。また，例えば，記憶部が，医療用，銀行用といった用途に応じて，会話に含まれる用語を抽出するための用語抽出用の用語を記憶した用語抽出用データベースを有していてもよい。この場合，会話由来用語抽出手段５５は，用語抽出用データベースを参照し，用語抽出用の用語を読み出し，その用語抽出用の用語が，記憶部に記憶された会話由来の用語と一致するか判断するようにすればよい。そして，用語抽出用の用語は，用語抽出用の用語に一致する会話由来の用語があった場合に，その用語を「会話由来用語」として記憶部に記憶すればよい。この際に，記憶部には，所定期間会話における「会話由来用語」の登場頻度や，音量又は音量の変化に関する情報も合わせて記憶してもよい。さらに，用語抽出用データベースは，用語抽出用の用語とともに，それぞれの用語について，検索用語となりやすさを示すスコアを合わせて記憶しておいてもよい。この場合，会話由来用語抽出手段５５は，スコアが高い「会話由来用語」や，頻度が高い「会話由来用語」，音量の変化（音量が増加した）「会話由来用語」，スコア，頻度及び音量の変化のいずれか１つ又は複数を指標として用いて「会話由来用語」の候補を抽出するようにしてもよい。また，上記の各要素について，例えば，係数を記憶しておいて，各種係数をかけ合わせて，会話由来用語のスコアを求めてもよい。例えば，係数が１の場合は，スコアに変動がない。一方，音量が大きく増加した場合は，その変化の程度に応じて，係数を１．１から１．９まで割り振ることで，会話由来用語のスコアを調整できる。
【００２４】
検索用キーワード記憶手段５７は，会話由来用語と検索用キーワードとを関連付けて記憶するための要素である。会話由来用語は，基本的には，会話（例えば，営業と顧客の会話）に含まれることが想定される用語である。一方，会話に含まれることが想定される用語と，検索に用いられるのがふさわしい用語との間には齟齬がある。いわゆる話し言葉と書き言葉の相違もその一つである。このため本発明では，検索用キーワード記憶手段５７が，会話由来用語と検索用キーワードとを関連付けて記憶し，検索にふさわしい用語である検索用キーワードに変換する。
【００２５】
検索用キーワード記憶手段５７は，記憶部（記憶装置）により達成されてもよいし，データベースとデータベースマネジメントシステムによって達成されてもよい。記憶装置は，複数の会話由来用語について，それぞれの会話由来用語に対応した検索用キーワードを記憶する。記憶装置は，検索用キーワードと関連してさらに検索に用いるためのスコアを記録していてもよい。
【００２６】
会話由来用語の例は，「やせる」，「細い」，「スリム」であり，それに対応する検索用キーワードの例は，「痩身」，「肥満」，「体型」，「身体検査」である。
【００２７】
検索用キーワード抽出手段５９は，会話由来用語抽出手段５５が抽出した複数の会話由来用語を用いて，検索用キーワード記憶手段５７から複数の検索用キーワードを抽出するための要素である。検索用キーワード抽出手段５９は，複数の会話由来用語のそれぞれに関し，検索用キーワード記憶手段５７において，会話由来用語と関連して記憶されている検索用キーワードを抽出する。この際に，検索用キーワードと合わせて記憶されているスコアも抽出してもよい。そして，検索用キーワード抽出手段５９は，抽出した検索用キーワード（及びスコア）を記憶部に記憶する。そのうえで，全ての（又は所定数の）会話由来用語について，検索用キーワード（及びスコア）を検索用キーワード記憶手段５７から抽出し，記憶部に記憶する。検索用キーワード抽出手段５９は，記憶部に一時的に記憶された検索用キーワード（及びそのスコア）を用いて，検索用キーワードを抽出する。この際，スコアが高かった検索用キーワードを検索用キーワード抽出手段５９が抽出するようにしてもよい。検索用キーワード抽出手段５９は，抽出した検索用キーワードを記憶部に記憶する。この際に，検索用キーワード抽出手段５９は，複数の検索用キーワードと，それぞれのスコアとを合わせて記憶してもよい。
【００２８】
資料記憶部６１は，複数のプレゼンテーション資料の各頁と，それぞれの頁の検索用語，及びそれぞれの検索用語のスコアを関連付けて記憶するための要素である。資料記憶部６１を作成するための装置や，
【００２９】
該当頁情報抽出手段６３は，検索用キーワード抽出手段５９が抽出した検索用キーワードを検索用語として用いて，資料記憶部５９から検索用キーワードと関連するプレゼンテーション資料の頁を抽出するための要素である。資料記憶部６１には，検索用語に関連したプレゼンテーション資料の各頁が（例えばスコアやランキングとともに）記憶されている。
【００３０】
該当頁情報抽出手段６３は，検索用キーワードを用いて，資料記憶部６１からスコア又はランキングが高いプレゼンテーション資料の各頁を抽出するための情報を得る。
該当頁情報抽出手段６３が，検索用キーワード抽出手段５９が抽出した検索用キーワードを検索用語として用いて，検索用語のうちスコアが高いものを，資料記憶部５９から検索用キーワードと関連するプレゼンテーション資料の頁として１又は複数抽出するものであってもよい。
【００３１】
選択用語抽出手段６５は，該当頁情報抽出手段６３が抽出したプレゼンテーション資料の頁が存在する場合に，検索用キーワードを，スライドを選択させるための選択用語として抽出するための要素である。選択用語は，１つでもよいし，複数でもよい。また，検索用語は，所定の数，例えば３つ，４つ，５つ又は６つであってもよい。検索用語の数は，表示部のうち選択用語が表示される領域の大きさと，選択用語の文字の大きさ，及び選択用語の文字数を用いて，決定されてもよい。この場合，例えば，選択用語抽出手段６５は，選択用語が表示される領域の長さに関する情報を得る。次に，選択用語抽出手段６５は，表示部において選択用語が表示される部分の文字の大きさに関する情報を得る。選択用語抽出手段６５は，選択用語を表示する場合の１つあたりの文字部分以外の大きさに関する情報を得る。そのうえで，選択用語抽出手段６５は，例えば，スコア又はランキングが高いといった理由で優先順位の高い選択用語を１つずつ抽出し，選択用語が１つ，２つ，３つ，４つ，５つ，６つの場合といったように，選択用語を表示していった際に，表示部に表示される選択用語部分の長さを求め，その選択用語部分の長さと選択用語が表示される部分の長さを比較する。そして，選択用語部分の長さが表示部分より短い場合に選択用語を１つ追加する。このようにして，選択用語抽出手段６５は，適切な数の選択用語を抽出できる。
【００３２】
選択用語表示手段７１は，選択用語抽出手段６５が抽出した選択用語を表示部６９に表示させるための要素である。
【００３３】
上記の表示装置は，上記の各手段を有するので，表示部６９に選択用語を表示できる。
【００３４】
図１３は，選択用語を表示する工程や，選択用語に関連するプレゼンテーション資料の頁を表示する工程例を説明するためのフローチャートである。Ｓはステップを意味する。
【００３５】
上記した表示装置を所有する担当者が，顧客と会話を行う（会話開始：Ｓ０１）。
すると，音声認識手段５３が，会話に含まれる用語を含む会話に関する情報を音声認識する（音声認識工程：Ｓ０２）。音声認識された会話に関する情報（用語を含む）は，適宜記憶部に記憶される。なお，表示装置には，所定時間における用語の頻度，ある用語を発した際の音量の増減，声の波長の変化といった音声の変化に対応する係数を記憶しておき，会話に関する情報を分析する際に，用語と関連付けて所定の係数を読み出してもよい。
【００３６】
会話由来用語抽出手段５５が，音声認識手段５３が認識した会話に関する情報を適宜記憶部から読み出し，読み出した情報を用いて，会話由来用語を複数抽出する（会話由来用語抽出工程：Ｓ０３）。表示装置は，会話由来用語に関するデータベースを有しており，そのデータベースを参照することで，会話に含まれた用語のうち，名詞であるとか，検索に有効な用語を選択できる。このようにして，会話由来用語が抽出される。なお，会話由来用語に関しては，検索に用いられる可能性を考慮し，会話由来用語と関連して会話由来用語のスコアを記憶しておいてもよい。
【００３７】
検索用キーワード記憶手段５７は，会話由来用語と検索用キーワードとを関連付けて記憶している。この際，検索用キーワードについては，検索に用いられる可能性を考慮して，検索用キーワードのスコアを関連付けて記憶してもよい。検索用キーワード抽出手段５９は，会話由来用語抽出手段５５が抽出した複数の会話由来用語を用いて（適宜記憶部から読み出し），検索用キーワード記憶手段５７から複数の検索用キーワードを抽出する（検索用キーワード抽出工程：Ｓ０４）。このように会話由来用語ではなく（会話由来用語がそのまま検索用キーワードである場合もある），検索用キーワードに変換して，検索を行うので，適切なプレゼンテーション資料の頁を検索できることとなる。
【００３８】
資料記憶部６１は，複数のプレゼンテーション資料の各頁と，それぞれの頁の検索用語，及びそれぞれの検索用語のスコアを関連付けて記憶している。そして，該当頁情報抽出手段６３が，検索用キーワード抽出手段５９が抽出した検索用キーワードを検索用語として用いて，資料記憶部５９から検索用キーワードと関連するプレゼンテーション資料の頁を抽出する（頁抽出工程：Ｓ０５）。プレゼンテーション資料の頁は，この段階では表示される必要がなく，関連するプレゼンテーション資料の頁が１又は複数存在し，その関連する頁を読み出すための情報（例えば，資料ＩＤと頁数に関する情報）を抽出すればよい。抽出した関連する頁を読み出すための情報は，適宜記憶部に記憶される。該当頁情報抽出手段６３が，検索用キーワード抽出手段５９が抽出した検索用キーワードを検索用語として用いて，検索用語のうちスコアが高いものを，資料記憶部５９から検索用キーワードと関連するプレゼンテーション資料の頁として１又は複数抽出するものであってもよい。
【００３９】
次に，選択用語抽出手段６５が，該当頁情報抽出手段６３が抽出したプレゼンテーション資料の頁が存在するか否か判断し，存在する場合に，検索用キーワードを，スライドを選択させるための選択用語として抽出する（選択用語抽出工程：Ｓ０６）。なお，検索用キーワードをそのまま選択用語として抽出してもよい。そして，抽出した選択用語は，適宜記憶部に記憶される。
【００４０】
選択用語表示手段７１が，選択用語抽出手段６５が抽出した選択用語を（適宜記憶部から読み出し）表示部６９に表示させる（選択用語表示工程：Ｓ０７）。図１４は，選択用語が表示される前の表示部の表示例を示す概念図である。一方，図１５は，選択用語が表示された場合の表示部の表示例を示す概念図である。この例では，表示画面の下部に存在する選択用語表示領域７３に選択用語が表示されている。また，図１５の例では，表示部がタッチパネル式であり，選択用語表示領域７３には，複数（この例では５つ）の選択用語が表示されている。このようにして，表示部に，選択用語が表示されることとなる。
【００４１】
例えば，タッチパネルに表示された選択用語のいずれかを担当者（ユーザ）がタッチする（又は，表示部がデスクトップ型コンピュータのモニタの場合は，マウス等によりカーソルが移動した状態で，選択用語が選択される）。すると，選択用語入力手段７５が，表示装置内に，特定の選択用語が選択された情報を入力し，表示装置はこの入力情報を受け取る（選択情報入力工程：Ｓ０８）。この入力された特定の選択用語に関する情報は，適宜記憶部に記憶される。
【００４２】
すると，頁候補読み出し手段７７は，選択用語入力手段７５により入力された選択用語を（適宜記憶部から読み出して）用いて，選択用語と関連する複数のプレゼンテーション資料の頁の候補に関する情報を読み出す。読み出した情報を用いて，頁の候補の縮小画面を作成し，表示部に表示する（頁候補表示工程：Ｓ０９）。図１６は，頁候補が表示部に表示された様子を示す概念図である。図１６に示される例では，読み出された複数のプレゼンテーション資料の頁の候補が複数ある場合，選択用語表示領域７３の下部，又は選択用語表示領域７３が上方へ移動し，その下部に，プレゼンテーション資料の頁の候補のサイズが小さくされたものが複数並べられた状態で表示されてもよい。なお，この頁候補表示工程を飛ばしてもよい。
【００４３】
表示部がタッチパネルの場合，アイコン化された頁の候補の上部を担当者（ユーザ）が押圧する。すると，表示装置は，特定の候補が選択されたことを把握する。つまり，頁選択情報入力手段７９は，頁候補読み出し手段７７が読み出した複数のプレゼンテーション資料の頁の候補のうち特定のプレゼンテーション資料の頁が選択された情報を受け取る。そして，受け取った情報を表示装置に入力する。入力された情報（特定の頁が選択された情報，又は特定された頁に関する情報）は，適宜記憶部に記憶される。この場合，表示装置は，頁選択情報入力手段７９により選択されたプレゼンテーション資料の頁に関する情報を（適宜記憶部から読み出して）用いて，選択されたプレゼンテーション資料の頁を表示部６９に表示する（頁表示工程：Ｓ１０）。
【００４４】
表示装置は，
資料のある頁に含まれる用語である資料中用語を抽出する用語抽出手段３と，
資料中用語と関連するキーワードとなる用語を記憶するキーワード記憶手段５と，
用語抽出手段３が抽出した資料中用語を用いて，キーワード記憶手段５から，資料中用語と関連するキーワードとなるものを複数抽出するキーワード抽出手段７と，
キーワードと関連するトピックス語を記憶するトピックス語記憶手段９と，
キーワード抽出手段７が抽出した複数のキーワードを用いて，トピックス語記憶手段９から，キーワードと関連するトピックス語を抽出するトピックス語抽出手段１１と，
トピックス語抽出手段１１が抽出したトピックス語及びキーワード抽出手段７が抽出した複数のキーワードから，資料のある頁の検索用語の候補を抽出する，検索用語候補抽出手段１３と，
検索用語候補抽出手段１３が抽出した検索用語の候補を，表示部１５に表示させる検索用語候補表示手段１７と，
表示部１５に表示された検索用語の候補のうち検索用語である旨の入力を受け取る，検索用語入力手段１９と，
検索用語入力手段１９により入力された検索用語と，資料のある頁に関する情報とを関連付けて記憶する資料検索情報記憶手段２１と，
を有する，検索用資料情報記憶装置２３をさらに有するものであることが好ましい。
【００４５】
図１２に示されるように，検索用資料情報記憶装置は，用語抽出手段３と，キーワード記憶手段５と，キーワード抽出手段７と，トピックス語記憶手段９と，トピックス語抽出手段１１と，検索用語候補抽出手段１３と，検索用語候補表示手段１７と，検索用語入力手段１９と，資料検索情報記憶手段２１とを含む。各手段は，コンピュータによる手段であり，ハードウェアとソフトウェアの協働により，各処理を達成する。
【００４６】
用語抽出手段３は，資料のある頁に含まれる用語である資料中用語を抽出するための手段である。資料の例は，いわゆるプレゼンテーション資料である。プレゼンテーション資料のフォーマットは特に限定されない。プレゼンテーション用ソフトウェアの例は，マイクロソフト（登録商標）パワーポイント（登録商標），キングソフト（登録商標）キングソフトオフィス（登録商標），アパッチ（登録商標）オープンオフィスインプレス（登録商標），キーノート（登録商標），ロータス・フリーランス（登録商標），イラストレータ（登録商標），ＰＤＦ（登録商標）及びプレツィ（登録商標）である。資料の例は，例えば，これらのプレゼンテーション用ソフトウェアのいずれかで作成された資料である。プレゼンテーション用ソフトウェアは，例えば，画面などの表示部に，頁ごとにその内容を表示することができるソフトウェアである。
【００４７】
図４は，プレゼンテーション資料のある頁の例である。図４に示されるように，プレゼンテーション資料には，作成者が入力した複数のテキストが含まれている。ユーザは，複数の文字を視認できる。一方，コンピュータは，ユーザが入力したテキストやテキストに関する入力情報（文字の大きさ，文字の色，アニメーションの有無）といった情報をテキストと共に記憶している。用語抽出手段３の好ましい例は，テキストを抽出する際に，テキストに関する入力情報（文字の大きさ，文字の色，アニメーションの有無）に応じて，テキストの評価（スコア）を付与するものである。例えば，文字が大きいほど，プレゼンテーション資料の内容を示すものであることが多いため，高いスコアが付与される。また，例えば，赤色系の文字の色の場合やアニメーションが付されているテキストも，プレゼンテーション資料の内容を示すものであることが多いため，高いスコアが付与される。用語抽出手段３は，テキストと関連した効果についての評価（スコア）を記憶しておき，用語を抽出する際に，テキスト関連スコアとして読み出して，後述するスコアを算出する際に，他のスコアと加算又は乗算し，評価を行えばよい。
【００４８】
一方，用語抽出手段３自体は，公知である。プレゼンテーション資料は，複数のテキスト情報を有している。そして，プレゼンテーション資料は，例えば，サーバ（又はコンピュータ内の）記憶部に記憶されている。用語抽出手段３は，記憶されているプレゼンテーション資料の各頁を読み出し，各頁に含まれるテキストを読み出す。そして，用語抽出手段３は，読み出したテキストを品詞解析する。この際，記憶部には，例えば，品詞データベースが存在し，各種用語とその品詞が記憶されている。この際，記憶部には，用途に応じて，各種用語の検索用語としてのスコアもともに記憶されていてもよい。例えば，検索用資料情報記憶装置が製薬メーカ，ＭＲ（医薬情報担当者），ＭＳ（医薬品卸）向けであれば，各種疾患名が一般的な名詞に比べて高いスコアが割り振られていてもよい。また，各種薬剤名や有効成分が，疾患名より低いものの，一般的な名詞に比べて高いスコアが割り振られていてもよい。そして，用語抽出手段３は，テキストに含まれている用語（特に名詞）を抽出し，その頻度や，記憶部に記憶されている用語のスコアを用いて，１又は複数の資料中用語を抽出すればよい。例えば，用語抽出手段３が，ある頁から，用語Ａ，用語Ｂ及び用語Ｃを抽出し，用語Ｃが２回登場し，用語Ａ及びＢは１回登場し，記憶部に記憶された用語Ａ，Ｂ及びＣのそのスコアがそれぞれ５，５０，及び４０であった場合，用語Ａ，Ｂ及びＣのスコアをそれぞれ５，５０及び８０とすればよい。例えば，資料中用語の抽出数が２と設定されていた場合，用語抽出手段３は，用語Ｃ及びＢを資料中用語として抽出すればよい。そして，抽出された資料中用語（用語Ｃ及びＢ）は，その頁を読み出すことができるページに関する情報と関連付けて，記憶部に記憶される。すると，その頁と共に，用語Ｃ及びＢを読み出すことができることとなる。用語抽出手段３の別の例は，プレゼンテーションのある頁のうち最も大きなフォントが用いられている部分を識別するものである。そして，最も大きなフォントが用いられている部分に含まれる資料中用語に対し，所定の係数を付与するものである。係数（第１の係数：ａ１）は記憶部に記憶されていればよい。用語抽出手段３は，最も大きなフォントが用いられている部分に含まれる資料中用語とともに，第１の係数を記憶部に記憶する。また，用語抽出手段３は，資料中用語と共に，フォントの大きさに応じた係数（第２の係数：ａ２）も記憶部に記憶してもよい。
【００４９】
キーワード記憶手段５は，資料中用語と関連するキーワードとなる用語を記憶するための手段である。キーワード記憶手段５は，記憶部と，記憶部から情報を読み出すための要素（例えば制御プログラム）により実現されればよい。キーワードとは，各頁を検索する際に，複数の資料中用語ばかりではなく，それらに関連する用語を検索用語とすることで，各頁を検索しやすくするための用語である。これにより各頁と関連して記憶される検索用語が少なくなり，迅速に検索できるようになる。もっとも資料中用語がそのままキーワードであることもある。キーワードは，資料中用語に関する第１の変換語といえる。キーワードは，複数種類の資料中用語から，検索に用いることがふさわしいある用語を選んだものであってもよい。
【００５０】
資料中用語は，プレゼンテーションに含まれている用語である。このため，資料中用語は，必ずしも，検索用語と一致しない又は検索用語としてはふさわしくない場合もある。例えば，ｏｂ遺伝子やｏｂ／ｏｂマウスという用語が，プレゼンテーションに含まれていたとする。これは，肥満遺伝子（及び肥満症，肥満症実験動物）と関連している。このため，キーワード記憶手段５は，資料中用語であるｏｂ遺伝子やｏｂ／ｏｂマウスと関連して，そのキーワードである肥満遺伝子（及び肥満症，肥満症実験動物）を記憶する。
【００５１】
キーワード記憶手段５が存在するため，各頁と関連付けて記憶される検索用語が統一した用語となる。このため，検索を行った際に，迅速に関連ページを読み出すことができることとなる。
【００５２】
図５は，キーワード記憶手段の記憶例を示す概念図である。図５に示されるように，キーワード記憶手段は，複数の資料中用語のそれぞれに対し，１又は複数のキーワードを関連付けて記憶するとともに，それぞれのキーワードについてスコア（このスコアをｂ１とする）を関連付けて記憶している。このスコアは，検索に用いられる用語としてふさわしいものほど高くなるようにあらかじめ入力されていることが好ましい。
【００５３】
キーワード抽出手段７は，用語抽出手段３が抽出した資料中用語を用いて，キーワード記憶手段５から，資料中用語と関連するキーワードとなるものを複数抽出するための手段である。キーワード記憶手段５は，資料中用語と関連してキーワードとなる用語を記憶している。このため，キーワード抽出手段７は，資料中用語を用いて，キーワード記憶手段５から，資料中用語と関連するキーワードとなる用語を読み出すことができる。ある頁から，通常，資料中用語が複数抽出される。このため，ある頁に関しキーワードとなる用語は，通常複数抽出される。また，資料中用語と関連するキーワードとなる用語も通常複数である（それぞれスコアが割り振られていてもよい。）。このため，ある頁に関しキーワードとなる用語は，通常複数抽出される。なお，資料中用語が，キーワードとなる用語の場合も当然存在する。つまり，資料中用語がそのままキーワードとして抽出されてもよい。キーワード抽出手段７は，記憶部に記憶される資料中用語の係数及びキーワードのスコアを用いて，それぞれのキーワードのスコアを評価してもよい。キーワードのスコアの例は，ａ１×ａ２×ｂ１である。スコアを算出するためには，記憶部に上記の演算を行うための制御プログラムが記憶されているので，制御部は，その制御プログラムを読み出すとともに，記憶部に記憶された各係数及びスコアを読み出して，演算部にａ１×ａ２×ｂ１を求める演算を行わせ，記憶部に演算結果を記憶させればよい。また，資料中用語の登場頻度（この係数をａ２１とする）や，複数種類の資料中用語からある特定のキーワードが抽出された場合の加算係数（この係数をａ２２とする）を記憶部に記憶させておき，ａ１×ａ２×ａ２１×ａ２２×ｂ１を求めることで，キーワードのスコアを求め，記憶部に記憶させてもよい。その他，ある頁に含まれる強調色には強い係数を与えるようにしてもよい。この場合，頁から用語の色を分析する手段と，色ごとの係数を記憶する記憶部とを有しており，分析した用語の色を用いて，記憶部からその色に関する係数を読み出せばよい。なお，キーワードのみならずトピックス語及びカテゴリー語も基本的には同様に，様々な要素について係数やスコアを記憶させておき，それを読み出して，乗算又は加算等を行いスコアを求めて，それぞれの語のスコアを記憶し，比較することで，優位な候補を求めればよい。
【００５４】
トピックス語記憶手段９は，キーワードと関連するトピックス語を記憶するための手段である。トピックス語記憶手段９は，記憶部と，記憶部から情報を読み出すための要素（例えば制御プログラム）により実現されればよい。
例えば，トピックス語記憶手段には，肥満遺伝子，肥満症，肥満症実験動物というキーワードと関連して，肥満というトピックス語が記憶されていればよい。トピックス語は，複数のキーワードをさらに統一した用語や上位概念化した用語であってもよい。トピックス語を用いることで，検索をより迅速に行うことができることとなる。トピックス語の例は，疾患名，薬剤名，有効成分名及び製薬企業名である。つまり，トピックス語は，資料中用語に関する第２の変換語といえる。トピックス語は，複数種類のキーワードについて，検索に用いることがふさわしい用語を割り振った用語であってもよい。また，トピックス語は，メッセージに関するものであってもよい。
【００５５】
トピックス語抽出手段１１は，キーワード抽出手段７が抽出した複数のキーワードを用いて，トピックス語記憶手段９から，キーワードと関連するトピックス語を抽出するための手段である。
トピックス語記憶手段９には，キーワードと関連するトピックス語が記憶されている。このため，トピックス語抽出手段１１は，キーワード抽出手段７が抽出した複数のキーワードを用いて，トピックス語記憶手段９から，キーワードと関連するトピックス語を抽出する。
【００５６】
図６は，トピックス語記憶手段の記憶例を示す概念図である。図６に示されるように，トピックス語記憶手段は，複数のキーワードのそれぞれに対し，１又は複数のトピックス語を関連付けて記憶するとともに，それぞれのトピックス語についてスコアを関連付けて記憶している。このスコアは，検索に用いられる用語としてふさわしいものほど高くなるようにあらかじめ入力されていることが好ましい。
【００５７】
検索用語候補抽出手段１３は，トピックス語抽出手段１１が抽出したトピックス語及びキーワード抽出手段７が抽出した複数のキーワードから，資料のある頁の検索用語の候補を抽出するための手段である。
例えば，ある頁と関連するとされたトピックス語が１又は複数記憶部に記憶されている。また，ある頁と関連するとされた複数のキーワードが記憶されている。
制御プログラムが，例えば，トピックス語は全て検索用語の候補とし，キーワードは数個（例えば，表示部に表示するサイズを考慮して４個）検索用語の候補とするという制御を行う場合は，検索用語候補抽出手段１３は，読み出したトピックス語を全て検索用語の候補とし，キーワードのうち４個を検索用語の候補とする。
なお，キーワード記憶手段５が，複数のキーワードと，それぞれのキーワードのスコアとを関連付けて記憶し，キーワード抽出手段７が，複数のキーワードとともに，それぞれのキーワードのスコアを抽出するものであってもよい。この場合，例えば，スコアの高いキーワードが検索用語の候補として抽出される。
トピックス語記憶手段９が，トピックス語と，それぞれのトピックス語のスコアとを関連付けて記憶し，トピックス語抽出手段１１が，キーワード抽出手段７が抽出した複数のキーワードのうちスコアが高い所定個（１個又は２個以上）をトピックス語有力候補とし，トピックス語記憶手段９から所定個（１個又は２個以上）のトピックス語有力候補と関連するトピックス語を抽出するようにしてもよい。
【００５８】
上記の検索用資料情報記憶装置は，
さらに，カテゴリー語記憶手段２５と，カテゴリー語抽出手段２７とを有してもよい。
カテゴリー語記憶手段２５は，トピックス語と関連するカテゴリー語を記憶するための手段である。
カテゴリー語抽出手段２７は，トピックス語抽出手段１１が抽出したトピックス語を用いて，カテゴリー語記憶手段２５から，トピックス語と関連するカテゴリー語を抽出するための手段である。カテゴリー語は，資料中用語に関する第３の変換語といえる。カテゴリー語は，複数種類のトピックス語について，カテゴリー検索に用いることがふさわしいある用語を選んだものであってもよい。カテゴリー語の例は，資料に興味があると考えられる対象を示すものであってもよい。例えば，資料のある頁がＭＲ用のある糖尿病用の薬剤ものであれば（これは例えばトピックス語と関連して記憶されていればよい），カテゴリー語の例は，「ＭＲ」，「糖尿病」，「医薬」といったものでもよい。また，資料のある頁が，銀行の行員向けの経理情報であれば，カテゴリー語の例は，行員といったものでもよいし，「行員」及び「経理」といったものであってもよい。さらに，カテゴリー語は，製品に関する情報であってもよい。そして，この検索用資料情報記憶装置の検索用語候補表示手段１７は，さらに，カテゴリー語抽出手段２７が抽出したカテゴリー語を検索用語の候補の一つとして抽出する。図７は，カテゴリー語記憶手段の記憶例を示す概念図である。カテゴリー語記憶手段は，複数のトピックス語のそれぞれに対し，１又は複数のカテゴリー語を関連付けて記憶するとともに，それぞれのカテゴリー語についてスコアを関連付けて記憶している。このスコアは，検索に用いられる用語としてふさわしいものほど高くなるようにあらかじめ入力されていることが好ましい。
【００５９】
図８は，抽出された（カテゴリー語），トピックス語，キーワード，及び資料中用語を示す概念図である。
【００６０】
検索用語候補抽出手段１３は，キーワード抽出手段７が抽出した複数のキーワードのうちスコアが高い所定個（１個又は２個以上）を検索用語の候補として抽出してもよい。また，検索用語候補抽出手段１３は，キーワードのスコア及びトピックス語のスコアを用いて，トピックス語抽出手段１１が抽出したトピックス語から所定個（１個又は２個以上）を検索用語の候補を抽出するものであってもよい。例えば，トピックス語記憶手段９が，トピックス語と，それぞれのトピックス語のスコアとを関連付けて記憶している。また，キーワード記憶手段５が，複数のキーワードと，それぞれのキーワードのスコアとを関連付けて記憶している。あるトピックス語は，もととなるキーワードが存在する。つまり，トピックス語は，キーワードを用いて読み出されたものである。トピックス語は，常に１又は複数のキーワードと関連があることとなる。この場合，検索用語候補抽出手段１３は，トピックス語記憶手段９からあるトピックス語に関するスコアを読み出すとともに，キーワード記憶手段５からトピックス語が抽出されるもととなった各キーワードのスコアを読み出す。そして，例えば，検索用語候補抽出手段１３は，あるトピックス語についてキーワードが複数存在する場合は，演算部に各キーワードのスコアを合計させるとともに，トピックス語のスコアとキーワードのスコア（又はキーワードの合計したスコア）を乗算させる。このようにして，トピックス語に関する集計後のスコアを求め，記憶部に記憶させる。検索用語候補抽出手段１３は，複数のトピックス語について，集計後のスコアを読み出し，演算部に比較させ，所定個（１個又は２個以上）のトピックス語を抽出する。このようにして，トピックス語を抽出する数が決まっている場合であっても，検索用語候補抽出手段１３は，所定の数のトピックス語を抽出できる。
【００６１】
検索用語候補表示手段１７は，検索用語候補抽出手段１３が抽出した検索用語の候補を，表示部１５に表示させるための手段である。
【００６２】
検索用語候補表示手段１７は，
表示部１５に，検索用語の候補として抽出された所定個（１個又は２個以上）のキーワード及び検索用語の候補として抽出された所定個（１個又は２個以上）のトピックス語を，検索用語の候補として表示するとともに，
キーワード抽出手段７が抽出した複数のキーワードのうち検索用語の候補として抽出されなかったもの，及びトピックス語抽出手段１１が抽出したトピックス語のうち検索用語の候補として抽出されなかったものを検索用語の予備候補として表示し，
検索用語入力手段１９が，
検索用語の予備候補について，検索用語とする旨の入力を受け取った場合は，検索用語の予備候補を検索用語とし，
検索用語の候補として表示されたものについては，検索用語としない旨の入力を受け取ったものを除いて，検索用語とするものであってもよい。
【００６３】
資料検索情報記憶手段２１は，検索用語入力手段１９により入力された検索用語と，資料のある頁に関する情報とを関連付けて記憶するための手段である。
【００６４】
本発明の装置は，さらにプレゼンテーション資料の種類に応じて，コンテンツタイプの候補を表示し，コンテンツのタイプをプレゼンテーションの各頁（又はプレゼンテーション自体）と関連させて記憶するものであってもよい。この場合，本発明の装置は，記憶部に記憶されるプレゼンテーションのフォーマット（パワーポイント（登録商標），ＰＤＦ（登録商標），ワード（登録商標）など）を読み出す。本発明の装置は，読み出したフォーマットに含まれるテキストを読み出す。本発明の装置は，コンテンツ分析用の用語を記憶したコンテンツ分析用の用語データベースを含む。そして，本発明の装置は，コンテンツ分析用の用語データベースに格納された用語を用いて，コンテンツのタイプを分析する。例えば，資料がＰＤＦ（登録商標）であり，「添付文書」というテキストが比較的初めに存在する場合，その資料のコンテンツタイプの候補として「添付文書」を抽出する。そして，表示部に，コンテンツタイプとして「添付文書」を表示し，ユーザから承認が入力された場合に，その資料と関連して，コンテンツタイプに関し「添付文書」を記憶する。
【００６５】
図９は，表示画面の例である。この例では，表示画面の上半分部分にプレゼンテーション資料のある頁が表示されている。そして，検索用語の候補については，採用及び不採用のアイコン（チェックボックス）とともに各検索用語の候補が表示されている。検索用語の候補は，図９の例では，左からカテゴリー語，トピックス語，及びキーワードの順に並べられている。資料中用語についても表示部に表示されてもよい。図９の例では，検索用語候補抽出手段１３が検索用語として抽出した用語については，採用のチェックボックスに印がつけられている。表示画面の下部には，承認ボタンがあり，ユーザが承認ボタンを用いて，コンピュータ（端末）に承認指示を入力すると，検索用語の候補が承認される。コンピュータから入力を受けた装置１は，記憶部に，プレゼンテーションのある頁に関して，承認された検索用語（及びそれぞれの検索用語のスコア）と関連させて記憶する。
【００６６】
検索用語入力手段１９は，表示部１５に表示された検索用語の候補のうち検索用語である旨の入力を受け取るための手段である。図９の例では，チェックボックスによる入力が，検索用語入力手段１９として機能する。ユーザが，採用状態にある検索用語の候補を不採用とする入力を行った場合，例えば，不採用のチェックボックスに印が入力される。チェックボックスからの不採用の入力を受け取った装置１は，指示された検索用語の候補を不採用状態とする。そして，ユーザが承認ボタンを用いて，コンピュータ（端末）に承認指示を入力すると，検索用語の候補が不採用とされる。なお，装置１は，不採用とされた検索用語の候補をスコアを下げたうえで（例えばスコアを半分にしたうえで），上記の頁と関連した検索用語として記憶するようにしてもよい。検索用語候補抽出手段１３が検索用語として抽出しなかった用語については，不採用のチェックボックスに印がつけられている（又は，いずれのチェックボックスに印がつけられていない）。ユーザが，不採用状態にある検索用語の候補を採用とする入力を行った場合，例えば，採用のチェックボックスに印が入力される。チェックボックスからの採用の入力を受け取った装置１は，指示された検索用語の候補を採用状態とする。そして，ユーザが承認ボタンを用いて，コンピュータ（端末）に承認指示を入力すると，検索用語の候補が採用とされる。つまり，その検索用語が，ある頁の検索用語として，頁と関連して記憶されることとなる。この際に，ユーザが選択した検索用語であるから，スコアに加点又は乗算した状態で，その検索用語を記憶してもよい。
【００６７】
図１０は，本発明の検索用資料情報記憶装置の使用例を説明するためのフローチャートである。つまり，この図は，検索用資料情報記憶装置を用いた検索用資料情報記憶方法を説明するための図である。図中Ｓはステップ（工程）を意味する。
【００６８】
ユーザがプレゼンテーション資料を作成する（Ｓ１０１）。すると，ユーザの端末又はコンピュータは，記憶部（又はサーバの記憶部）に，プレゼンテーション資料を記憶する。
【００６９】
装置１は，プレゼンテーション資料の各頁について，その頁に含まれる用語である資料中用語を抽出する（Ｓ１０２）。この際，装置１は，資料中用語にスコアを付与してもよい。例えば，資料中用語の登場頻度が高い場合や，太字，色つき文字，アニメーション等を伴う場合，あらかじめ加点について登録しておき，登録した加点情報を用いて，資料中用語にスコアを付与してもよい。また，装置１は，資料中用語の辞書を有しており，辞書には，様々な資料中用語について，資料中用語とスコアとを関連付けて記憶しており，装置１は，資料中用語のスコアを読み出してもよい。そのうえで，辞書に存在する資料中用語のスコアと，加点に関するスコアとを用いて（例えば加算又は乗算して），資料中用語のスコアを求めてもよい。この場合，資料中用語の数をあらかじめ設定している場合は，スコアの高いものを資料中用語としてもよい。
【００７０】
装置１は，抽出された１又は複数の資料中用語を用いて，記憶部から，資料中用語と関連するキーワードとなるものを複数抽出する（Ｓ１０３）。記憶部は，資料中用語と関連するキーワードとなる用語を記録している。このため，装置１は，資料中用語を用いることで，それと関連するキーワードを記憶部から抽出することができる。この際，キーワードごとに検索用語としてのスコアが付与されていてもよい。また，同じキーワードが，異なる資料中用語から選択された場合，そのキーワードが検索用語となる可能性が高いことから，加点対象とされてもよい。その場合，キーワードの頻度が高いことに関する加点を登録しておき，キーワードの重複回数に応じた加点を読み出して，スコアと加算又は乗算してもよい。このようにして複数のキーワード（及びそれぞれのキーワードのスコア）が求められる。
【００７１】
装置１は，複数のキーワードを用いて，記憶部から，キーワードと関連するトピックス語を抽出する（Ｓ１０４）と，この処理は，キーワードの抽出工程と同様である。
【００７２】
装置１は，抽出されたトピックス語を用いて，記憶部から，トピックス語と関連するカテゴリー語を抽出してもよい（Ｓ１０５）。この工程は，任意の工程である。
【００７３】
装置１は，トピックス語，複数のキーワード（及びカテゴリー語）から，資料のある頁の検索用語の候補を抽出する（Ｓ１０６）。装置１は，あらかじめ検索用語の候補を抽出するための制御指令が記憶されており，その制御指令に従って，トピックス語，複数のキーワード（及びカテゴリー語）から，資料のある頁の検索用語の候補を抽出すればよい。制御指令の例は，複数のキーワードのうちスコアが高い４つ，トピックス語のうちスコアが高い２つ（，及び全てのカテゴリー語）を，検索用語の候補として抽出するというものである。このようにして，自動的にプレゼンテーション資料のある頁についての検索用語の候補が抽出される。なお，記憶部は，ある頁の検索用語として，抽出された検索用語の候補を記憶してもよい。
【００７４】
次に，ユーザに検索用語を承認又は決定させる場合，装置１は，抽出された検索用語の候補を，表示部に表示するようにしてもよい（Ｓ１０７）。この際，プレゼンテーションの対象頁（を小さくしたもの），検索用語の候補とされなかったトピックス語，複数のキーワード（及びカテゴリー語）も合わせて表示部に表示するようにしてもよい。その場合，ユーザが，検索用語を選択することができることとなる。
【００７５】
ユーザが，そのまま承認した場合，端末は承認に関する入力を受け取り，装置１が抽出した検索用語の候補がそのままプレゼンテーション資料のある頁に関連した検索用語として記憶部に記憶されることとなる（Ｓ１１１）。
【００７６】
一方，端末が，検索用語の候補を不採用とする入力を受け取った場合や，端末が検索用語の候補ではなかった用語を採用とする入力を受け取った場合，これらの修正を反映した検索用語の候補が，記憶部にある頁に関連した検索用語とされる（Ｓ１２１）。
【００７７】
上記の修正を行った後に，ユーザが，承認した場合，端末は承認に関する入力を受け取り，修正後の検索用語の候補が，プレゼンテーション資料のある頁に関連した検索用語として記憶部に記憶されることとなる（Ｓ１２２）。
【００７８】
本発明は，
コンピュータを
資料のある頁に含まれる用語である資料中用語を抽出する用語抽出手段３，
資料中用語と関連するキーワードとなる用語を記憶するキーワード記憶手段５，
用語抽出手段３が抽出した資料中用語を用いて，キーワード記憶手段５から，資料中用語と関連するキーワードとなるものを複数抽出するキーワード抽出手段７，
キーワードと関連するトピックス語を記憶するトピックス語記憶手段９，
キーワード抽出手段７が抽出した複数のキーワードを用いて，トピックス語記憶手段９から，キーワードと関連するトピックス語を抽出するトピックス語抽出手段１１，
トピックス語抽出手段１１が抽出したトピックス語及びキーワード抽出手段７が抽出した複数のキーワードから，資料のある頁の検索用語の候補を抽出する，検索用語候補抽出手段１３，
検索用語候補抽出手段１３が抽出した検索用語の候補を，表示部１５に表示させる検索用語候補表示手段１７，
表示部１５に表示された検索用語の候補のうち検索用語である旨の入力を受け取る，検索用語入力手段１９，及び
検索用語入力手段１９により入力された検索用語と，資料のある頁に関する情報とを関連付けて記憶する資料検索情報記憶手段２１，
として機能させるための検索用資料情報記憶用プログラムやそのプログラムを記憶したコンピュータ読み取り可能な記録媒体をも提供する。
【００７９】
図１１は，本発明の検索用資料情報記憶装置の使用例を説明するための概念図（ブロック図）である。この例では，基本データベース（ＤＢ）として，コンテンツＤＢ，顧客ＤＢ，ログＤＢ及びその他の情報を記憶するＤＢを含む。そして，これらのデータベースは，インターフェイスを介して，インタラクティブプロフレームワークとよばれるエンジンと接続されている。このエンジンは，アプリケーションプログラミングインタフェース（API）を介して各種端末（例えば，ＰＣタブレット，携帯端末，携帯電話）と情報の授受を行うことができるようにされている。また，このエンジンは，クライアント内の制御プログラムやアプリケーション，ＨＴＭＬデータ，動画データ，パワーポイントデータ，ＰＤＦデータ，書類データ，データベース管理ソフト，と情報の授受を行うことができるようにされている。また，このエンジンは，サーバ（クラウド）と同期がとられ，情報の授受を行うことができるようにされている。一方，図１１の例では，このサーバを介して顧客のBI（ビジネスインテリジェンス），ＣＲＭ（顧客関係管理），及びＤＷＨ（データウェアハウス）を含む各種データベース及びソフトウェアと情報の授受を行うことができるようにされている。
【００８０】
本発明は，コンピュータを，
音声認識を行う音声認識手段５３と，
音声認識手段５３が認識した会話情報から会話由来用語を複数抽出する会話由来用語抽出手段５５と，
会話由来用語と検索用キーワードとを関連付けて記憶する検索用キーワード記憶手段５７と，
会話由来用語抽出手段５５が抽出した複数の会話由来用語を用いて，検索用キーワード記憶手段５７から複数の検索用キーワードを抽出する検索用キーワード抽出手段５９と，
複数のプレゼンテーション資料の各頁と，それぞれの頁の検索用語，及びそれぞれの検索用語のスコアを関連付けて記憶する資料記憶部６１と，
検索用キーワード抽出手段５９が抽出した検索用キーワードを検索用語として用いて，資料記憶部５９から検索用キーワードと関連するプレゼンテーション資料の頁を抽出する，該当頁情報抽出手段６３と，
該当頁情報抽出手段６３が抽出したプレゼンテーション資料の頁が存在する場合に，検索用キーワードを，スライドを選択させるための選択用語として抽出する選択用語抽出手段６５と，
選択用語抽出手段６５が抽出した選択用語を表示部６９に表示させるための選択用語表示手段７１と，
を有し，これにより表示部６９に選択用語を表示できる，表示装置として機能させるためのプログラムや，そのようなプログラムを記憶したコンピュータが読取できる情報記録媒体をも提供する。
【産業上の利用可能性】
【００８１】
本発明は，表示端末産業，情報通信産業，ソフトウェア開発，製薬産業，及び金融業などで利用されうる。
【符号の説明】
【００８２】
１．．．検索用資料情報記憶装置
３．．．用語抽出手段
５．．．キーワード記憶手段
７．．．キーワード抽出手段
９．．．トピックス語記憶手段
１１．．．トピックス語抽出手段
１３．．．検索用語候補抽出手段
１５．．．表示部
１７．．．検索用語候補表示手段
１９．．．検索用語入力手段
２１．．．資料検索情報記憶手段
２３．．．検索用資料情報記憶装置
２５．．．カテゴリー語記憶手段
２７．．．カテゴリー語抽出手段
５３．．．音声認識手段
５５．．．会話由来用語抽出手段
５７．．．検索用キーワード記憶手段
５９．．．検索用キーワード抽出手段
６１．．．資料記憶部
６３．．．該当頁情報抽出手段
６５．．．選択用語抽出手段
６９．．．表示部
７１．．．選択用語表示手段
【図１】
2020102231.tif 000003
【図２】
2020102231.tif 000004
【図３】
2020102231.tif 000005
【図４】
2020102231.tif 000006
【図５】
2020102231.tif 000007
【図６】
2020102231.tif 000008
【図７】
2020102231.tif 000009
【図８】
2020102231.tif 000010
【図９】
2020102231.tif 000011
【図１０】
2020102231.tif 000012
【図１１】
2020102231.tif 000013
【図１２】
2020102231.tif 000014
【図１３】
2020102231.tif 000015
【図１４】
2020102231.tif 000016
【図１５】
2020102231.tif 000017
【図１６】
2020102231.tif 000018